(57)【要約】【課題】本発明は、ユーザアクセスログの関連付け方法、装置及びシステムを提供する。【解決手段】ユーザアクセスログの関連付け方法は、少なくともユーザエージェントとCookie情報を含む複数のユーザアクセスログを取得するステップと、ユーザアクセスログのCookie情報中の登録ユーザを識別するために用いられるCookie識別値を決定し、ユーザエージェントとCookie識別値の対応関係を構築するステップであって、ユーザエージェントと対応するCookie識別値とは同一のユーザに属する、ステップと、該対応関係に基づいて同一のユーザに属するCookie識別値を決定するステップと、同一のユーザに属するCookie識別値に基づいて、同一のユーザに属するユーザアクセスログを関連付けるステップと、を含む。【選択図】図１
2018018523.tif 000002
【特許請求の範囲】
【請求項１】
少なくともユーザエージェントとCookie情報を含む複数のユーザアクセスログを取得するステップと、
ユーザアクセスログのCookie情報中の登録ユーザを識別するために用いられるCookie識別値を決定し、ユーザエージェントとCookie識別値の対応関係を構築するステップであって、ユーザエージェントと対応するCookie識別値とは同一のユーザに属する、ステップと、
前記対応関係に基づいて同一のユーザに属するCookie識別値を決定するステップと、
同一のユーザに属するCookie識別値に基づいて、同一のユーザに属するユーザアクセスログを関連付けるステップと、を含むことを特徴とするユーザアクセスログの関連付け方法。
【請求項２】
前記ユーザアクセスログのCookie情報中の登録ユーザを識別するために用いられるCookie識別値を決定するステップは、
複数のウェブサイトの登録ユーザを識別するために用いられるCookie識別フィールドを決定することと、
決定されたCookie識別フィールドに基づいてユーザアクセスログのCookie情報を検索し、Cookie情報中にCookie識別フィールドが存在するか否かを判断し、存在する場合、Cookie情報中のCookie識別フィールドの値を、登録ユーザを識別するCookie識別値として記録することと、を含むことを特徴とする請求項１に記載のユーザアクセスログの関連付け方法。
【請求項３】
前記ユーザアクセスログはアクセス時間をさらに含み、
前記ユーザエージェントとCookie識別値の対応関係を構築するステップは、
有効なCookie識別値を含む複数のユーザアクセスログを選別し、選別された複数のユーザアクセスログを複数の集合に区分し、各集合のユーザアクセスログは、同じユーザエージェントとCookie識別値を含むことと、
各集合中のユーザアクセスログの全体時間スパンを決定し、各集合中のユーザアクセスログの全体時間スパンに基づいて、ユーザエージェントとCookie識別値の関連付け関係に対して評価を行い、第一評価スコアを得ることと、
選別された複数のユーザアクセスログの時間軸上での分布安定度に基づいて、ユーザエージェントとCookie識別値の関連付け関係に対して評価を行い、第二評価スコアを得ることと、
各集合中のユーザアクセスログの個数を決定し、各集合中のユーザアクセスログの個数と選別されたユーザアクセスログの総数の比に基づいて、ユーザエージェントとCookie識別値の関連付け関係に対して評価を行い、第三評価スコアを得ることと、
前記第一評価スコア、前記第二評価スコア及び前記第三評価スコアに基づいて、各ユーザエージェントと異なるCookie識別値との関連付けスコアに対して計算を行い、一つのユーザエージェントとの関連付けスコアが最高のCookie識別値を前記ユーザエージェントと対応するCookie識別値とすることと、を含むことを特徴とする請求項１に記載のユーザアクセスログの関連付け方法。
【請求項４】
前記対応関係に基づいて同一のユーザに属するCookie識別値を決定するステップは、
前記対応関係に基づいて同一のユーザに属する少なくとも一つのユーザエージェントを判断して、同一のユーザに属する少なくとも一つのユーザエージェントが対応するCookie識別値が同一のユーザに属すると決定すること、を含むことを特徴とする請求項１に記載のユーザアクセスログの関連付け方法。
【請求項５】
前記対応関係に基づいて同一のユーザに属する少なくとも一つのユーザエージェントを判断することは、
第一ユーザエージェントと第一Cookie識別値が対応し、第二ユーザエージェントと第一Cookie識別値が対応する場合、第一ユーザエージェントと第二ユーザエージェントが同一のユーザのユーザエージェントに属すると判断することと、
第二ユーザエージェントと第二Cookie識別値が対応し、第三ユーザエージェントと第二Cookie識別値が対応する場合、第一ユーザエージェントと第二ユーザエージェントと第三ユーザエージェントが同一のユーザのユーザエージェントに属すると判断することと、を含むことを特徴とする請求項４に記載のユーザアクセスログの関連付け方法。
【請求項６】
前記同一のユーザに属するCookie識別値に基づいて、同一のユーザに属するユーザアクセスログを関連付けるステップは、
ステップａ：各ユーザアクセスログがCookie情報を含むか否か判断し、含まない場合にステップｂへ移り、含む場合にステップｃへ移ることと、
ステップｂ：前記Cookie情報を含まないユーザアクセスログを、前記複数のユーザアクセスログ中の一つのCookie情報を含むユーザアクセスログにマッピングし、ステップｄへ移ることと、
ステップｃ：Cookie情報が有効であるか否か判断し、有効である場合にステップｄへ移り、無効である場合に終了することと、
ステップｄ：ユーザアクセスログのCookie識別値及び同一のユーザに属するCookie識別値に基づいて、同一のユーザのCookie識別値を含む少なくとも一つのユーザアクセスログを同一のユーザに関連づけることと、を含むことを特徴とする請求項１に記載のユーザアクセスログの関連付け方法。
【請求項７】
少なくともユーザエージェントとCookie情報を含む複数のユーザアクセスログを取得する取得モジュールと、
ユーザアクセスログのCookie情報中の登録ユーザを識別するために用いられるCookie識別値を決定し、ユーザエージェントとCookie識別値の対応関係を構築する第一処理モジュールであって、ユーザエージェントと対応するCookie識別値とは同一のユーザに属する、第一処理モジュールと、
前記対応関係に基づいて同一のユーザに属するCookie識別値を決定する第二処理モジュールと、
同一のユーザに属するCookie識別値に基づいて、同一のユーザに属するユーザアクセスログを関連付けるための関連付けモジュールと、を含むことを特徴とするユーザアクセスログの関連付け装置。
【請求項８】
前記第一処理モジュールは、
複数のウェブサイトの登録ユーザを識別するために用いられるCookie識別フィールドを決定する分析ユニットと、
決定されたCookie識別フィールドに基づいてユーザアクセスログのCookie情報を検索し、Cookie情報中にCookie識別フィールドが存在するか否かを判断し、存在する場合、Cookie情報中のCookie識別フィールドの値を、登録ユーザを識別するCookie識別値として記録するCookie識別値決定ユニットと、を含むことを特徴とする請求項７に記載のユーザアクセスログの関連付け装置。
【請求項９】
前記ユーザアクセスログはアクセス時間をさらに含み、
前記第一処理モジュールは、
有効なCookie識別値を含む複数のユーザアクセスログを選別し、選別された複数のユーザアクセスログを複数の集合に区分し、各集合のユーザアクセスログは、同じユーザエージェントとCookie識別値を含む、選別ユニットと、
各集合中のユーザアクセスログの全体時間スパンを決定し、各集合中のユーザアクセスログの全体時間スパンに基づいて、ユーザエージェントとCookie識別値の関連付け関係に対して評価を行い、第一評価スコアを得る第一評価ユニットと、
各集合中のユーザアクセスログの時間軸上での分布安定度に基づいて、ユーザエージェントとCookie識別値の関連付け関係に対して評価を行い、第二評価スコアを得る第二評価ユニットと、
各集合中のユーザアクセスログの個数を決定し、各集合中のユーザアクセスログの個数と選別されたユーザアクセスログの総数の比に基づいて、ユーザエージェントとCookie識別値の関連付け関係に対して評価を行い、第三評価スコアを得る第三評価ユニットと、
前記第一評価スコア、前記第二評価スコア及び前記第三評価スコアに基づいて、各ユーザエージェントと異なるCookie識別値との関連付けスコアに対して計算を行い、一つのユーザエージェントとの関連付けスコアが最高のCookie識別値を前記ユーザエージェントと対応するCookie識別値とする関連付けスコア計算ユニットと、を含むことを特徴とする請求項７に記載のユーザアクセスログの関連付け装置。
【請求項１０】
請求項７乃至９のいずれか一項に記載のユーザアクセスログの関連付け装置を含み、
ユーザアクセスログを傍受し、傍受されたユーザアクセスログを前記取得モジュールへ提供する流量分析装置をさらに含むことを特徴とするユーザアクセスログの関連付けシステム。
【請求項１１】
少なくともユーザエージェントとCookie情報を含む複数のユーザアクセスログを取得するステップと、
ユーザアクセスログのCookie情報中の登録ユーザを識別するために用いられるCookie識別値を決定し、ユーザエージェントとCookie識別値の対応関係を構築するステップであって、ユーザエージェントと対応するCookie識別値とは同一のユーザに属する、ステップと、
前記対応関係に基づいて同一のユーザに属するCookie識別値を決定するステップと、
同一のユーザに属するCookie識別値に基づいて、同一のユーザに属するユーザアクセスログを関連付けるステップと、をコンピュータに実行させるためのユーザアクセスログの関連付けプログラム。
【請求項１２】
少なくともユーザエージェントとCookie情報を含む複数のユーザアクセスログを取得するステップと、
ユーザアクセスログのCookie情報中の登録ユーザを識別するために用いられるCookie識別値を決定し、ユーザエージェントとCookie識別値の対応関係を構築するステップであって、ユーザエージェントと対応するCookie識別値とは同一のユーザに属する、ステップと、
前記対応関係に基づいて同一のユーザに属するCookie識別値を決定するステップと、
同一のユーザに属するCookie識別値に基づいて、同一のユーザに属するユーザアクセスログを関連付けるステップと、をコンピュータに実行させるためのユーザアクセスログの関連付けプログラムを記録した記録媒体。
【発明の詳細な説明】
【技術分野】
【０００１】
本発明は、インターネットの分野に関し、特に、ユーザアクセスログの関連付け方法、装置およびシステムに関する。
【背景技術】
【０００２】
ユーザがウェブサイトにアクセスした際にアクセスログが生成され、これらのアクセスログを分析することによりユーザの関連行動を知ることができ、それによってユーザの基本情報及び興味や好み等を推測し、さらに、ユーザがウェブサイトにアクセスした際にユーザの好みに合った内容を推薦することができる。しかし、単一のウェブサイトのアクセスログを分析しただけでは一定の限定性が有り、ユーザが複数のウェブサイトへアクセスしたログを分析すれば、分析結果の精確性を大幅に高めることができる。よって、一つのユーザが異なるウェブサイトへアクセスしたログを関連付けることは、とても必要なことである。
【０００３】
従来技術において、ユーザが異なるウェブサイトへアクセスしたログを関連付ける際、先ず、流量コントロール装置またはユーザ請求傍受装置を用いて、ユーザアクセスログを傍受し、その後、ＡＤＳＬ（Asymmetric  Digital  Subscriber  Line：非対称デジタル加入者線）アカウントや、ＩＰ（インターネットプロトコル）アドレスや、User  Agent（ユーザエージェント）により、ユーザの違いを識別し、それによって、同一ユーザが異なるウェブサイトへアクセスしたログを関連付けている。
【０００４】
しかし、ＡＤＳＬアカウントやＩＰアドレスやUser  Agentによりユーザの違いを識別する際、複数のユーザが一つのＡＤＳＬアカウントやＩＰアドレスやUser  Agentを共有している可能性や、一つのユーザが複数のＡＤＳＬアカウントやＩＰアドレスやUser  Agentを使用している可能性が有るので、従来技術では、異なるユーザのアクセスログを同一ユーザに関連付けることがあり、関連付け結果の精確性が比較的低かった。
【発明の概要】
【発明が解決しようとする課題】
【０００５】
本発明が解決しようとする課題は、ユーザが異なるウェブサイトへアクセスしたログを関連付けることにより、関連付け結果の精確率を保証する、ユーザアクセスログの関連付け方法、装置およびシステムを提供することである。
【課題を解決するための手段】
【０００６】
上記課題を解決するために、本発明の実施例は、以下の技術案を提供する。
【０００７】
一つの態様では、少なくともユーザエージェントとCookie情報を含む複数のユーザアクセスログを取得するステップと、ユーザアクセスログのCookie情報中の登録ユーザを識別するために用いられるCookie識別値を決定するとともに、ユーザエージェントとCookie識別値の対応関係を構築するステップであって、ユーザエージェントと対応するCookie識別値とは同一のユーザに属する、ステップと、前記対応関係に基づいて同一のユーザに属するCookie識別値を決定するステップと、同一のユーザに属するCookie識別値に基づいて、同一のユーザに属するユーザアクセスログを関連付けるステップと、を含むユーザアクセスログの関連付け方法を提供する。
【０００８】
さらに、前記ユーザアクセスログのCookie情報中の登録ユーザを識別するために用いられるCookie識別値を決定するステップは、複数のウェブサイトの登録ユーザを識別するために用いられるCookie識別フィールドを決定することと、決定されたCookie識別フィールドに基づいてユーザアクセスログのCookie情報を検索し、Cookie情報中にCookie識別フィールドが存在するか否かを判断し、存在する場合、Cookie情報中のCookie識別フィールドの値を、登録ユーザを識別するCookie識別値として記録することと、を含む。
【０００９】
さらに、前記ユーザアクセスログはアクセス時間をさらに含み、前記ユーザエージェントとCookie識別値の対応関係を構築するステップは、有効なCookie識別値を含む複数のユーザアクセスログを選別し、選別された複数のユーザアクセスログを複数の集合に区分し、各集合のユーザアクセスログは、同じユーザエージェントとCookie識別値を含むことと、各集合中のユーザアクセスログの全体時間スパンを決定し、各集合中のユーザアクセスログの全体時間スパンに基づいて、ユーザエージェントとCookie識別値の関連付け関係に対して評価を行い、第一評価スコアを得ることと、選別された複数のユーザアクセスログの時間軸上での分布安定度に基づいて、ユーザエージェントとCookie識別値の関連付け関係に対して評価を行い、第二評価スコアを得ることと、各集合中のユーザアクセスログの個数を決定し、各集合中のユーザアクセスログの個数と選別されたユーザアクセスログの総数の比に基づいて、ユーザエージェントとCookie識別値の関連付け関係に対して評価を行い、第三評価スコアを得ることと、前記第一評価スコア、前記第二評価スコア及び前記第三評価スコアに基づいて、各ユーザエージェントと異なるCookie識別値との関連付けスコアに対して計算を行い、一つのユーザエージェントとの関連付けスコアが最高のCookie識別値を前記ユーザエージェントと対応するCookie識別値とすることと、を含む。
【００１０】
さらに、前記対応関係に基づいて同一のユーザに属するCookie識別値を決定するステップは、前記対応関係に基づいて同一のユーザに属する少なくとも一つのユーザエージェントを判断して、同一のユーザに属する少なくとも一つのユーザエージェントが対応するCookie識別値が同一のユーザに属すると決定すること、を含む。
【００１１】
さらに、前記対応関係に基づいて同一のユーザに属する少なくとも一つのユーザエージェントを判断することは、第一ユーザエージェントと第一Cookie識別値が対応し、第二ユーザエージェントと第一Cookie識別値が対応する場合、第一ユーザエージェントと第二ユーザエージェントが同一のユーザのユーザエージェントに属すると判断することと、第二ユーザエージェントと第二Cookie識別値が対応し、第三ユーザエージェントと第二Cookie識別値が対応する場合、第一ユーザエージェントと第二ユーザエージェントと第三ユーザエージェントが同一のユーザのユーザエージェントに属すると判断することと、を含む。
【００１２】
さらに、前記同一のユーザに属するCookie識別値に基づいて、同一のユーザに属するユーザアクセスログを関連付けるステップは、ステップａ：各ユーザアクセスログがCookie情報を含むか否か判断し、含まない場合にステップｂへ移り、含む場合にステップｃへ移ることと、ステップｂ：前記Cookie情報を含まないユーザアクセスログを、前記複数のユーザアクセスログ中の一つのCookie情報を含むユーザアクセスログにマッピングし、ステップｄへ移ることと、ステップｃ：Cookie情報が有効であるか否か判断し、有効である場合にステップｄへ移り、無効である場合に終了することと、ステップｄ：ユーザアクセスログのCookie識別値及び同一のユーザに属するCookie識別値に基づいて、同一のユーザのCookie識別値を含む少なくとも一つのユーザアクセスログを同一のユーザに関連づけることと、を含む。
【００１３】
本発明の実施例は、少なくともユーザエージェントとCookie情報を含む複数のユーザアクセスログを取得する取得モジュールと、ユーザアクセスログのCookie情報中の登録ユーザを識別するために用いられるCookie識別値を決定し、ユーザエージェントとCookie識別値の対応関係を構築する第一処理モジュールであって、ユーザエージェントと対応するCookie識別値とは同一のユーザに属する、第一処理モジュールと、前記対応関係に基づいて同一のユーザに属するCookie識別値を決定する第二処理モジュールと、同一のユーザに属するCookie識別値に基づいて、同一のユーザに属するユーザアクセスログを関連付けるための関連付けモジュールと、を含むユーザアクセスログの関連付け装置をさらに提供する。
【００１４】
さらに、前記第一処理モジュールは、複数のウェブサイトの登録ユーザを識別するために用いられるCookie識別フィールドを決定する分析ユニットと、決定されたCookie識別フィールドに基づいてユーザアクセスログのCookie情報を検索し、Cookie情報中にCookie識別フィールドが存在するか否かを判断し、存在する場合、Cookie情報中のCookie識別フィールドの値を、登録ユーザを識別するCookie識別値として記録するCookie識別値決定ユニットと、を含む。
【００１５】
さらに、前記ユーザアクセスログはアクセス時間をさらに含み、前記第一処理モジュールは、有効なCookie識別値を含む複数のユーザアクセスログを選別し、選別された複数のユーザアクセスログを複数の集合に区分し、各集合のユーザアクセスログは、同じユーザエージェントとCookie識別値を含む、選別ユニットと、各集合中のユーザアクセスログの全体時間スパンを決定し、各集合中のユーザアクセスログの全体時間スパンに基づいて、ユーザエージェントとCookie識別値の関連付け関係に対して評価を行い、第一評価スコアを得る第一評価ユニットと、各集合中のユーザアクセスログの時間軸上での分布安定度に基づいて、ユーザエージェントとCookie識別値の関連付け関係に対して評価を行い、第二評価スコアを得る第二評価ユニットと、各集合中のユーザアクセスログの個数を決定し、各集合中のユーザアクセスログの個数と選別されたユーザアクセスログの総数の比に基づいて、ユーザエージェントとCookie識別値の関連付け関係に対して評価を行い、第三評価スコアを得る第三評価ユニットと、前記第一評価スコア、前記第二評価スコア及び前記第三評価スコアに基づいて、各ユーザエージェントと異なるCookie識別値との関連付けスコアに対して計算を行い、一つのユーザエージェントとの関連付けスコアが最高のCookie識別値を前記ユーザエージェントと対応するCookie識別値とする関連付けスコア計算ユニットと、を含む。
【００１６】
本発明の実施例は、以上に記載のユーザアクセスログの関連付け装置を含み、ユーザアクセスログを傍受し、傍受されたユーザアクセスログを前記取得モジュールへ提供する流量分析装置をさらに含むユーザアクセスログの関連付けシステムをさらに提供する。
【発明の効果】
【００１７】
本発明の実施例は、以下の有益な効果を具備する。
【００１８】
上記実施例においては、複数のユーザアクセスログを取得し、ユーザアクセスログの内容に基づいてユーザエージェントとCookie識別値の対応関係を構築し、さらに、同一ユーザに属するCookie識別値を決定し、同一ユーザに属するCookie識別値に基づいて、複数のユーザアクセスログ中の同一ユーザに属するユーザアクセスログを関連付ける。本発明の実施例は、Cookie識別値によってユーザを識別しており、一般的な状況下で、複数のユーザが一つの登録アカウントを共有して使用することはないので、Cookie識別値は唯一のユーザを表すことができるので、同一ユーザの複数のCookie識別値に基づき、同一ユーザの異なるウェブサイトでのCookie識別値を関連付けることにより、関連付け結果の精確率を確保することができる。
【図面の簡単な説明】
【００１９】
【図１】本発明の実施例の、ユーザアクセスログの関連付け方法のプロセスを示した概略図である。
【図２】本発明の実施例の、ユーザアクセスログの関連付け装置の構造ブロック図である。
【図３】本発明の別の実施例の、ユーザアクセスログの関連付け方法のプロセスを示した概略図である。
【図４】本発明の実施例の、同一ユーザに属するUser  Agentを決定する概略図である。
【図５】本発明の実施例の、複数のユーザアクセスログ中の同一ユーザに属するユーザアクセスログを関連づけるプロセスを示した概略図である。
【図６】本発明の実施例の、ユーザアクセスログを関連付けるシステムのハードウェアの構造概略図である。
【発明を実施するための形態】
【００２０】
本発明の実施例が解決しようとする課題や技術案やメリットをさらに明瞭にするために、以下、図面及び具体的実施例を組み合わせて詳細に説明する。
【００２１】
本発明の実施例は、従来技術における、異なるユーザアクセスログを同一ユーザに関連付けることがあり関連付け結果の精確性が比較的低くなる問題に対し、ユーザアクセスログの関連付け方法、装置及びシステムを提供し、ユーザが異なるウェブサイトへアクセスしたログを関連付けることができるとともに、関連結果の精確率を保証することができる。
【００２２】
＜実施例１＞
本発明は、ユーザアクセスログの関連付け方法を提供しており、図１に示すように、以下のステップを含む。
【００２３】
ステップ１０１：少なくともユーザエージェントとCookie情報をそれぞれ含む複数のユーザアクセスログを取得する。
【００２４】
ステップ１０２：ユーザアクセスログのCookie情報中の登録ユーザの識別に用いられるCookie識別値を決定するとともに、ユーザエージェントとCookie識別値の対応関係を構築し、ユーザエージェントと対応するCookie識別値とが同じユーザに属する。
【００２５】
ステップ１０３：前記対応関係に基づいて同一ユーザに属するCookie識別値を決定する。
【００２６】
ステップ１０４：同一ユーザに属するCookie識別値に基づいて、同一ユーザに属するユーザアクセスログを関連付ける。
【００２７】
本実施例において、複数のユーザアクセスログを取得し、ユーザアクセスログの内容に基づいてユーザエージェントとCookie識別値の対応関係を構築し、それによって、同一ユーザに属するCookie識別値を決定し、同一ユーザに属するCookie識別値に基づいて、複数のユーザアクセスログ中の同一ユーザに属するユーザアクセスログを関連付ける。本発明の実施例は、Cookie識別値によってユーザを識別しており、一般的な状況下で、複数のユーザが一つの登録アカウントを共有して使用することはできないので、Cookie識別値は唯一のユーザを表すことができるので、同一ユーザの複数のCookie識別値に基づき、同一ユーザの異なるウェブサイトでのCookie識別値を関連付けることにより、関連付け結果の精確率を確保することができる。
【００２８】
さらに、前記ユーザアクセスログのCookie情報中の登録ユーザの識別に用いられるCookie識別値を決定することは、複数のウェブサイトの登録ユーザの識別に用いられるCookie識別フィールドを決定することと、決定したCookie識別フィールドに基づいてユーザアクセスログのCookie情報を検索し、Cookie情報中にCookie識別フィールドが存在するかどうかを判断し、存在する場合、Cookie情報中のCookie識別フィールドの値を、登録ユーザを識別するCookie識別値として記録することと、を含む。
【００２９】
さらに、前記ユーザアクセスログがアクセス時間をさらに含み、前記ユーザエージェントとCookie識別値の対応関係を構築することは、有効Cookie識別値を含む複数のユーザアクセスログを選別し、選別した複数のユーザアクセスログを複数の集合に区分し、各集合のユーザアクセスログが、同じなユーザエージェントとCookie識別値をそれぞれ含むことと、各集合中のユーザアクセスログの全体時間スパンを決定し、各集合中のユーザアクセスログの全体時間スパンに基づいて、ユーザエージェントとCookie識別値の間の関連付け関係に対して評価を行い、第一評価スコアを得ることと、選別した複数のユーザアクセスログの時間軸上での分布安定度に基づいて、ユーザエージェントとCookie識別値の関連付け関係に対して評価を行い、第二評価スコアを得ることと、各集合中のユーザアクセスログの個数を決定し、各集合中のユーザアクセスログの個数と選別したユーザアクセスログの総数の比に基づいて、ユーザエージェントとCookie識別値の関連付け関係に対して評価を行い、第三評価スコアを得ることと、前記第一評価スコアと、前記第二評価スコアと、前記第三評価スコアに基づいて、各ユーザエージェントと異なるCookie識別値との関連付けスコアに対して計算を行い、一つのユーザエージェントとの関連付けスコアが最高のCookie識別値を前記ユーザエージェントと対応するCookie識別値とすることと、を含む。
【００３０】
さらに、前記各集合中のユーザアクセスログの全体時間スパンを決定し、各集合中のユーザアクセスログの全体時間スパンに基づいて、ユーザエージェントとCookie識別値の間の関連付け関係に対して評価を行い、第一評価スコアを得ることは、以下の公式を用いてユーザエージェントとCookie識別値の関連付け関係に対して評価を行い、第一評価スコアS1を得ることを含む。
【数１】
2018018523.tif 000003
【００３１】
ここで、Tnは第n集合中のユーザアクセスログの全体時間スパンであり、Tmaxは選別した所有ユーザアクセスログの全体時間スパンである。
【００３２】
さらに、前記選別した複数のユーザアクセスログの時間軸上での分布安定度に基づいて、ユーザエージェントとCookie識別値の関連付け関係に対して評価を行い、第二評価スコアを得ることは、以下の公式を用いてユーザエージェントとCookie識別値の関連付け関係に対して評価を行い、第二評価スコアS2を得ることを含む。
【数２】
2018018523.tif 000004
【００３３】
ここで、λ1は同一ユーザエージェント下のユーザ登録の回数と選別した所有ユーザアクセスログの全体登録回数の比であり、0＜λ1＜1であり、λ2は同一ユーザエージェント化のユーザ登録の持続時間の平均値と選別した所有ユーザアクセスログの全体時間スパンの比であり、0＜λ2＜1であり、W1は所定の第一重みである。
【００３４】
さらに、前記各集合中のユーザアクセスログの個数を決定し、各集合中のユーザアクセスログの個数と選別したユーザアクセスログの総数の比に基づいて、ユーザエージェントとCookie識別値の関連付け関係に対して評価を行い、第三評価スコアを得ることは、以下の公式を用いてユーザエージェントとCookie識別値の関連付け関係に対して評価を行い、第二評価スコアS3を得ることを含む。
【数３】
2018018523.tif 000005
【００３５】
ここで、Nnは第n集合のユーザアクセスログの個数であり、kは集合の個数である。
【００３６】
さらに、前記の前記第一評価スコアと、前記第二評価スコアと、前記第三評価スコアに基づいて、各ユーザエージェントと異なるCookie識別値との関連に対して計算を行うことは、以下の公式を用いて各ユーザエージェントと異なるCookie識別値との関連付けスコアS0を計算することを含む。
【数４】
2018018523.tif 000006
【００３７】
ここで、S1は第一評価スコアであり、S2は第二評価スコアであり、S3は第三評価スコアであり、W2は所定の第二重みである。
【００３８】
さらに、前記の前記対応関係に基づいて同一ユーザに属するCookie識別値を決定することは、前記対応関係に基づいて同一ユーザに属する少なくとも一つのユーザエージェントを判断することによって、同一ユーザに属する少なくとも一つのユーザエージェントが対応するCookie識別値が同一ユーザに属すると決定すること、を含む。
【００３９】
さらに、前記の前記対応関係に基づいて同一ユーザに属する少なくとも一つのユーザエージェントを判断することは、第一ユーザエージェントと第一Cookie識別値が対応し、第二ユーザエージェントと第二Cookie識別値が対応する際、第一ユーザエージェントと第二ユーザエージェントが同一ユーザに属するユーザエージェントであると判断することと、第二ユーザエージェントと第二Cookie識別値が対応し、第三ユーザエージェントと第三Cookie識別値が対応する際、第一ユーザエージェントと第二ユーザエージェントと第三ユーザエージェントが同一ユーザに属するユーザエージェントであると判断することと、を含む。
【００４０】
さらに、前記同一ユーザに属するCookie識別値に基づいて、同一ユーザに属するユーザアクセスログを関連付けるステップは、以下のステップを含む。
【００４１】
ステップａ：各ユーザアクセスログがCookie情報を含むかどうか判断し、含まない場合ステップｂへ移り、含む場合ステップｃへ移る。
【００４２】
ステップｂ：前記Cookie情報を含まないユーザアクセスログを、前記複数のユーザアクセスログ中の一つのCookie情報を含むユーザアクセスログに反映し、ステップｄへ移る。
【００４３】
ステップｃ：Cookie情報が有効かどうか判断し、有効であればステップｄへ移り、無効であれば終了する。
【００４４】
ステップｄ：ユーザアクセスログのCookie識別値及び同一ユーザに属するCookie識別値に基づいて、同一ユーザのCookie識別値を含む少なくとも一つのユーザアクセスログを同一ユーザに関連づける。
【００４５】
＜実施例２＞
本実施例は、ユーザアクセスログの関連付け装置を提供しており、図２に示すように、以下のモジュールを含む。
【００４６】
取得モジュール２１は、少なくともユーザエージェントとCookie情報をそれぞれ含む複数のユーザアクセスログを取得する。
【００４７】
第一処理モジュール２２は、ユーザアクセスログのCookie情報中の登録ユーザの識別に用いられるCookie識別値を決定するとともに、ユーザエージェントとCookie識別値の対応関係を構築し、ユーザエージェントと対応するCookie識別値とが同じユーザに属する。
【００４８】
第二処理モジュール２３は、前記対応関係に基づいて同一ユーザに属するCookie識別値を決定する。
【００４９】
関連付けモジュール２４は、同一ユーザに属するCookie識別値に基づいて、同一ユーザに属するユーザアクセスログを関連付ける。
【００５０】
本実施例において、複数のユーザアクセスログを取得し、ユーザアクセスログの内容に基づいてユーザエージェントとCookie識別値の対応関係を構築し、それによって、同一ユーザに属するCookie識別値を決定し、同一ユーザに属するCookie識別値に基づいて、複数のユーザアクセスログ中の同一ユーザに属するユーザアクセスログを関連付ける。本発明の実施例は、Cookie識別値によってユーザを識別しており、一般的な状況下で、複数のユーザが一つの登録アカウントを共有して使用することはできないので、Cookie識別値は唯一のユーザを表すことができるので、同一ユーザの複数のCookie識別値に基づき、同一ユーザの異なるウェブサイトでのCookie識別値を関連付けることにより、関連付け結果の精確率を確保することができる。
【００５１】
さらに、図2に示すように、ユーザアクセスログの関連付け装置は、以下のモジュールをさらに含む。
【００５２】
入力モジュール２０は、取得モジュール２１へ向けて複数のユーザアクセスログを提供する。
【００５３】
出力モジュール２５は、関連付けモジュール２４の分析結果を出力する。
【００５４】
さらに、前記第一処理モジュールは、以下のユニットを含む。
【００５５】
分析ユニットは、複数のウェブサイトの登録ユーザの識別に用いられるCookie識別フィールドを決定する。
【００５６】
Cookie識別値決定ユニットは、決定したCookie識別フィールドに基づいてユーザアクセスログのCookie情報を検索し、Cookie情報中にCookie識別フィールドが存在するかどうかを判断し、存在する場合、Cookie情報中のCookie識別フィールドの値を、登録ユーザを識別するCookie識別値として記録する。
【００５７】
さらに、前記ユーザアクセスログがアクセス時間をさらに含み、前記第一処理モジュールは、以下のユニットを含む。
【００５８】
選別ユニットは、有効Cookie識別値を含む複数のユーザアクセスログを選別し、選別した複数のユーザアクセスログを複数の集合に区分し、各集合のユーザアクセスログが、同じなユーザエージェントとCookie識別値をそれぞれ含む。
【００５９】
第一評価ユニットは、各集合中のユーザアクセスログの全体時間スパンを決定し、各集合中のユーザアクセスログの全体時間スパンに基づいて、ユーザエージェントとCookie識別値の間の関連付け関係に対して評価を行い、第一評価スコアを得る。
【００６０】
第二評価ユニットは、選別した複数のユーザアクセスログの時間軸上での分布安定度に基づいて、ユーザエージェントとCookie識別値の関連付け関係に対して評価を行い、第二評価スコアを得る。
【００６１】
第三評価ユニットは、各集合中のユーザアクセスログの個数を決定し、各集合中のユーザアクセスログの個数と選別したユーザアクセスログの総数の比に基づいて、ユーザエージェントとCookie識別値の関連付け関係に対して評価を行い、第三評価スコアを得る。
【００６２】
スコア計算ユニットは、前記第一評価スコアと、前記第二評価スコアと、前記第三評価スコアに基づいて、各ユーザエージェントと異なるCookie識別値との関連付けスコアに対して計算を行い、一つのユーザエージェントとの関連付けスコアが最高のCookie識別値を前記ユーザエージェントと対応するCookie識別値とする。
【００６３】
さらに、前記第二処理モジュールは具体的に、前記対応関係に基づいて同一ユーザに属する少なくとも一つのユーザエージェントを判断するためのものであり、それによって、同一ユーザに属する少なくとも一つのユーザエージェントが対応するCookie識別値が同一ユーザに属すると決定する。
【００６４】
さらに、前記関連付けモジュールは具体的に、各ユーザアクセスログがCookie情報を含むかどうか判断し、含まない場合、前記Cookie情報を含まないユーザアクセスログを、前記複数のユーザアクセスログ中の一つのCookie情報を含むユーザアクセスログにマッピングし、含む場合、Cookie情報が有効かどうか判断し、有効であれば、ユーザアクセスログのCookie識別値及び同一ユーザに属するCookie識別値に基づいて、同一ユーザのCookie識別値を含む少なくとも一つのユーザアクセスログを同一ユーザに関連づける。
【００６５】
ユーザアクセスログのCookie識別値及び同一ユーザに属するCookie識別値に基づいて、同一ユーザのCookie識別値を含む少なくとも一つのユーザアクセスログを同一ユーザに関連付ける。
【００６６】
＜実施例３＞
本実施例は、ユーザアクセスログの関連付けシステムを提供しており、該システムは、以上に記載のユーザアクセスログの関連付け装置を含み、ユーザアクセスログを傍受するとともに、傍受したユーザアクセスログを前記取得モジュールへ提供するための流量分析装置を更に含む。
【００６７】
本実施例のユーザアクセスログの関連付けシステムは、コンピュータシステムによって実現可能であり、図６に示すように、ユーザアクセスログの関連付けシステムがコンピュータを利用して実現する際、ユーザアクセスログを関連付ける装置は、ＣＰＵ１０と、ＲＡＭ１１と、ＲＯＭ１２と、ハードディスク１３とを含む。そのうち、ＣＰＵ１０が、少なくともユーザエージェントとCookie情報を含むユーザアクセスログを取得し、ユーザアクセスログのCookie情報中の登録ユーザの識別に用いられるCookie識別値を決定するとともに、ユーザエージェントとCookie識別値の対応関係を構築し、前記対応関係に基づいて同一ユーザに属するCookie識別値を決定し、同一ユーザに属するCookie識別値に基づいて、同一ユーザに属するユーザアクセスログを関連付ける。計算プロセスにおける中間結果は、ＲＡＭ１１とＲＯＭ１２に記録可能であり、最終的に得た関連付け結果はハードディスク１３に記録可能である。本実施例のユーザアクセスログの関連付けシステムの入力は、複数のユーザアクセスログであり、出力は、各ユーザCookie識別値及び対応するユーザアクセスログである。
【００６８】
また、本実施例は、ユーザアクセスログの関連付けプログラム、及び該ユーザアクセスログの関連付けプログラムを記録した記録媒体を提供する。該ユーザアクセスログの関連付けプログラムは、コンピュータに、少なくともユーザエージェントとCookie情報を含む複数のユーザアクセスログを取得するステップと、ユーザアクセスログのCookie情報中の登録ユーザを識別するために用いられるCookie識別値を決定し、ユーザエージェントとCookie識別値の対応関係を構築するステップであって、ユーザエージェントと対応するCookie識別値とは同一のユーザに属する、ステップと、該対応関係に基づいて同一のユーザに属するCookie識別値を決定するステップと、同一のユーザに属するCookie識別値に基づいて、同一のユーザに属するユーザアクセスログを関連付けるステップと、を実行させる。
【００６９】
＜実施例４＞
図３に示すように、本発明のユーザアクセスログの関連付け方法は、具体的に以下のステップを含む。
【００７０】
ステップ３０１：ユーザアクセスログを収集する。
【００７１】
具体的に、サービスプロバイダで流量分析装置によりローカル（例えば北京市）のある時間（たとえば３０日）内に有ったユーザアクセスログを取得可能であるとともに、取得したユーザアクセスログを保存可能であり、分析効率を高めるために、ウェブサイトに照らしてユーザアクセスログをグループ分けして保存することが可能であり、異なるウェブサイトのユーザアクセスログを保存し、ユーザアクセスログは、ＡＤＳＬアカウント、ＩＰアドレス、User  Agent、Cookie情報、domain（ドメイン）、アクセス時間、ＵＲＬ（統一資源位置指定子）等を含むことが可能であり、ユーザが登録状態であるならば、Cookie情報中には一般的に登録ユーザを唯一識別するためのCookie  IDフィールドが含まれており、User  Agentは異なる設備、ブラウザ、ユーザ端末などのグループ分けに用いることが可能である。
【００７２】
ステップ３０２：複数のウェブサイトの登録ユーザを識別するためのCookie  ID（識別情報）フィールドを分析する。
【００７３】
具体的に、複数の人気ウェブサイトのCookieを分析することが可能であり、ウェブサイトのCookie中の登録ユーザを唯一識別するためのCookie  IDフィールドを取得し、表１のようなウェブサイトのCookie  IDフィールド対照表を生成する。なお、表１にはウェブサイトと、ウェブサイトと対応するCookie  IDフィールドが含まれる。効率を高めるために、ランキングｆ以前の人気ウェブサイトに対してだけ分析を行うことができる。
【表１】
2018018523.tif 000007
【００７４】
ステップ３０３：各ウェブサイトのユーザアクセスログをグループごとに分析して、各User  Agentと対応するCookie  ID値を取得する。
【００７５】
具体的に、以下のステップｓ１〜ｓ５によって各ウェブサイト下のユーザアクセスログを分析し、ステップｓ１〜ｓ５を繰り返すことにより、複数のウェブサイトの分析結果を得ることができ、複数のウェブサイトの分析結果を総合して、各User  Agentと対応するCookie  ID値を得ることができる。
【００７６】
ｓ１、まず、有効Cookie  ID値を含むユーザアクセスログを選別し、選別した複数のユーザアクセスログを複数の集合に区分することが可能で、各集合中のユーザアクセスログは、同一のUser  AgentとCookie識別値を含んでおり、各集合中のユーザアクセスログの全体時間スパン及びユーザアクセスログの個数を記録する。
【００７７】
ｓ２、各集合中のユーザアクセスログの全体時間スパンに基づいてUser  AgentとCookie  ID値の関連付け関係に対して相対評価を行い、第一評価スコアS1を得る。
【数５】
2018018523.tif 000008
【００７８】
ここで、Tnは第n集合中のユーザアクセスログの全体時間スパンであり、Tmaxは選別した所有ユーザアクセスログの全体時間スパンであり、評価範囲は0〜10である。
【００７９】
一つの具体的実施例において、複数の集合に基づいてm個のUser  Agentとg個のCookie  ID値の関連付け関係に対して評価をして得られる第一評価スコアの結果は表２に示す通りである。
【表２】
2018018523.tif 000009
【００８０】
ｓ３、選別した複数のユーザアクセスログの時間軸上での分布安定度に基づいて、User  AgentとCookie識別値の関連付け関係に対して評価を行い、第二評価スコアS2を得る。
【００８１】
同一のCookie  ID値の所定の長さの時間内の連続登録をユーザの1回の登録と見なし、同一のCookie  ID値の異なる時間内の登録をユーザの複数回の登録と見なし、同一User  Agent下のユーザ登録の回数と選別した所有ユーザアクセスログの全体登録回数に基づいて、User  AgentとCookie識別値の関連付け関係に対して評価を行い、第二評価スコアS2を得る。
【数６】
2018018523.tif 000010
【００８２】
ここで、λ1は同一User  Agent下のユーザ登録の回数と選別した所有ユーザアクセスログの全体登録回数の比であり、0＜λ1＜1であり、λ2は同一ユーザエージェント化のユーザ登録の持続時間の平均値と選別したすべてのユーザアクセスログの全体時間スパンの比であり、0＜λ2＜1であり、W1は所定の第一重みであり、実際のニーズに基づいてW1の値を調整可能である。
【００８３】
一つの具体的実施例において、複数の集合に基づいてm個のUser  Agentとg個のCookie  ID値の関連付け関係に対して評価をして得られる第二評価スコアの結果は表３に示す通りである。
【表３】
2018018523.tif 000011
【００８４】
ｓ４、各集合中のユーザアクセスログの個数と選別したユーザアクセスログの総数の比に基づいて、User  AgentとCookie識別値の関連付け関係に対して評価を行い、第三評価スコアS3を得る。
【数７】
2018018523.tif 000012
【００８５】
ここで、Nnは第n集合のユーザアクセスログの個数であり、kは集合の個数である。
【００８６】
一つの具体的実施例において、複数の集合に基づいてm個のUser  Agentとg個のCookie  ID値の関連付け関係に対して評価をして得られる第三評価スコアの結果は表４に示す通りである。
【表４】
2018018523.tif 000013
【００８７】
ｓ５、ステップｓ２、ｓ３、ｓ４の評価スコアに基づいて、各User  Agentと異なるCookie識別値との関連に対して計算を行う。
【数８】
2018018523.tif 000014
【００８８】
ここで、W2は所定の第二重みであり、実際のニーズに基づいてW2の値を調整可能である。
【００８９】
ステップｓ１〜ｓ５を繰り返して複数のウェブサイトの分析を得た後、各User  Agentと異なるCookie識別値との関連付けスコアS0を得て、User  Agentとの関連付けスコアが最高のCookie識別値を該User  Agentと対応するCookie識別値とすることができる。
【００９０】
一つの具体的実施例おいて、複数のウェブサイトのユーザアクセスログに基づいてm個のUser  Agentとg個のCookie  ID値との関連付けスコアに対して計算をして得られる結果は表５に示す通りである。
【表５】
2018018523.tif 000015
【００９１】
表５の内容から、User  AgentとCookie識別値の対応関係は、表６に示す通りであることが分かる。
【表６】
2018018523.tif 000016
【００９２】
ステップ３０４、User  AgentとCookie識別値の対応関係に基づき、同一ユーザに属するCookie識別値を決定する。
【００９３】
まず、各ウェブサイトの分析結果に基づいて、同一ユーザに属するUser  Agentを判断し、同一ユーザに属するUser  Agentリストを得る。具体的には、異なるUser  Agentが同一のCookie  ID値と対応するならば、前記異なるUser  Agentは同一ユーザに属すると判断できる。図４に示すように、User  Agent1とCookie  ID値1とが対応し、User  Agent2とCookie  ID値1とが対応するなら、User  Agent1とCookie  ID値1が同一ユーザに関連付けられ、User  Agent2とCookie  ID値1とが同一ユーザに関連付けられると説明できるので、User  Agent1とUser  Agent2が同じユーザに属すると判断でき、さらに、User  Agent2とCookie  ID値2とが対応し、User  Agent3とCookie  ID値2とが対応するなら、User  Agent2とCookie  ID値2とが同じユーザに関連付けられ、User  Agent3とCookie  ID値2とが同じユーザに関連付けられると説明できるので、User  Agent2とUser  Agent3とが同じユーザに属すると判断できるので、User  Agent1とUser  Agent2とUser  Agent3とは全て同じユーザに属する。
【００９４】
ユーザのUser  Agentリストを決定した後、同一ユーザに属するUser  Agentが対応するCookie識別値も同一ユーザに属すると決定でき、ユーザのCookie識別値リストを得ることができる。
【００９５】
一つの具体的実施例において得られる、q個のユーザのf個のウェブサイト中でのCookie識別値リストは表７に示す通りである。
【表７】
2018018523.tif 000017
【００９６】
ステップ３０５、同一ユーザに属するCookie識別値に基づいて、収集した複数のユーザアクセスログ中の同一ユーザに属するユーザアクセスログを関連付ける。
【００９７】
具体的に、図５に示すように、収集した複数のユーザアクセスログ中の同一ユーザに属するユーザアクセスログを関連付けることは、以下のステップを含む。
【００９８】
ステップ３０５１、ユーザアクセスログを分析する。
【００９９】
ステップ３０５２、各ユーザアクセスログがCookie情報を含むかどうか判断し、含まない場合ステップ３０５３へ移り、含む場合ステップ３０５４へ移る。
【０１００】
ユーザアクセスログを関連付ける際、決して採集した各ユーザアクセスログ中の全てがCookie情報を含むことではなく、ユーザアクセスログ中にCookie情報を含まない可能性もあるので、まず、ユーザアクセスログに対して判断を実行し、ユーザアクセスログ中にCookie情報が含まれるかどうかを判断する必要がある。
【０１０１】
ステップ３０５３、Cookie情報を含まないユーザアクセスログを、一つのCookie情報を含むユーザアクセスログに反映し、ステップ３０５５へ移る。
【０１０２】
Cookie情報を含まないユーザアクセスログに対し、該ユーザアクセスログ中のUser  AgentとＵＲＬ携帯の情報に基づいてCookie情報を含むユーザアクセスログとのマッピングを行うことができ、Cookie情報を含まないユーザアクセスログとCookie情報を含むユーザアクセスログとのマッピングが成功した場合、この二つのユーザアクセスログが同一ユーザに属するユーザアクセスログであると説明でき、Cookie情報を含むユーザアクセスログのCookie  ID値を、このCookie情報を含まないユーザアクセスログに関連付けることができ、マッピングしたユーザアクセスログ中のCookie  ID値を、該Cookie情報を含まないユーザアクセスログのCookie  ID値とすることができる。なお、マッピングの方法は従来技術に属し、ここでは贅言しない。
【０１０３】
ステップ３０５４、Cookie情報が有効かどうか判断し、有効であればステップ３０５５へ移り、無効であれば終了する。
【０１０４】
Cookie情報を含むユーザアクセスログに対して、まず、それが含むCookie情報が有効かどうかを判断して、唯一のユーザを識別するためのCookie  ID値が解析可能かどうかを判断する。解析できればCookie情報は有効であり、その後、該Cookie情報中のCookie  ID値に基づいてユーザアクセスログに対して関連付けを行うことが可能である。Cookie情報から唯一のユーザを識別するためのCookie  ID値を解析できない場合、Cookie情報は無効である。
【０１０５】
ステップ３０５５、ユーザアクセスログのCookie  ID値及び同一ユーザに属するCookie  ID値に基づいて、同一ユーザのCookie  ID値を含む少なくとも一つのユーザアクセスログを同一ユーザに関連づける。
【０１０６】
複数の異なるユーザアクセスログが同じCookie  ID値を含む場合、該複数のユーザアクセスログを同一ユーザに関連付けることができる。或いは、複数の異なるユーザアクセスログが異なるCookie  ID値を含むが、これらの異なるCookie  ID値が全て同一ユーザに属する場合、該複数のユーザアクセスログを同一ユーザに関連付けることができる。
【０１０７】
ユーザの複数の異なるウェブサイトでのユーザアクセスログを関連付けた後、関連付け結果に基づいてユーザの行動を分析し、ユーザの興味を予測可能であり、それによってユーザがウェブサイトを閲覧する際に、ユーザの好みに合った内容を推薦することができ、推薦内容の成功率を高めることができる。
【０１０８】
この明細書で記載した沢山の機能部材は全てモジュールと称したが、これは特に、それが実現する方式の独立性をさらに強調するためのである。
【０１０９】
本発明の実施例において、モジュールはソフトウェアで実現し、各種類型の処理器に実行させることができる。例を挙げると、標記する実行可能コードモジュールは、コンピュータ指令の一つあるいは複数の物理的、あるいはロジック的集積を含むことができ、例を挙げると、それは対象、プロセス、或いは関数に構築することができる。それでも、モジュールを標記する実行可能コードは、物理的に同じ場所に位置する必要はなく、様々な場所に保存した様々な指令を含み、これらの指令がロジック的に同じ場所に結合した時に、それはモジュールを構成し、また、当該モジュールの規定目的を実現することができる。
【０１１０】
実際、実行可能コードモジュールは単数指令でも複数指令でもよく、ひいては複数の異なるコード段上に分布しても、異なるプログラムに分布しても、複数の記憶装置を跨いで分布しても良い。同様に、操作データはモジュール内で識別されたことができ、且つ何らかの適切な形式で実現可能で且つ何らかの適切な種類のデータ構造内で組成されることが可能である。前記操作データは単一のデータ集合として収集可能であるし、あるいは異なる位置に分布する（異なる記憶装置に分布することを含む）、且つ、少なくとも一部は電子信号としてシステム又はネットワークに存在するだけでも良い。
【０１１１】
モジュールがソフトウェアを利用して実現できる時は、現有のハードウェア技術水準を考慮すると、ソフトウェアで実現するモジュールでよく、コストを考慮しない場合、当業者は皆、対応するハードウェア電気回路を構築して対応する機能を実現することができ、前記ハードウェア電気回路には、慣例的超大規模集積回路（VLSI）あるいはゲートアレイ、ならびに例えばロジックチップ、トランジスターの類の現有半導体、あるいはその他の分立したエレメントを含む。モジュールは、プログラミング可能ハードウェア設備を用いて、例えば現場プログラミング可能ゲートアレイ、プログラミング可能アレイロジック、プログラミング可能ロジックデバイス等を実現することもできる。
【０１１２】
本発明の各方法の実施例において、前記各ステップの順番は各ステップの前後順序を限定するものではなく、当業者が創造的な作業をしない前提で、各ステップの前後を変えることも、本発明の保護範囲内である。
【０１１３】
上記は、本発明の好ましい実施方式であり、なお、当業者にとって、本発明に記載の原理を逸脱しない前提下で、若干の改良や変形を行うことも可能であり、このような改良や変形も本発明の保護範囲であると見なさなければならない、ということである。
【図１】
2018018523.tif 000018
【図２】
2018018523.tif 000019
【図３】
2018018523.tif 000020
【図４】
2018018523.tif 000021
【図５】
2018018523.tif 000022
【図６】
2018018523.tif 000023